(57)【要約】【目的】スクリーン枠に張設した孔版原紙を非接触式の製版手段で精密に製版できる小型の製版装置と、これに適したスクリーン枠を提供する。【構成】中央の開口に孔版原紙３が張設されたスクリーン枠４の一対の側面には送り用のラック１３が形成される。スクリーン枠は製版装置内の支持ローラ２１に副走査方向に移動可能に支持され、ラック１３に噛み合うピニオン２２をモータ２３が駆動すると副走査方向に移動する。これに同期して、スクリーン枠の孔版原紙に非接触で相対する製版ヘッド３１が主走査方向に往復動作して孔版原紙を製版する。【選択図】図１
2005153402.tif 000002
【特許請求の範囲】
【請求項１】
中央の開口に張設した孔版原紙に対して非接触式の製版手段を主走査方向に往復動作させながら駆動するとともに、副走査方向に移動させることによって前記孔版原紙に所望の画像を製版するためのスクリーン枠において、
前記孔版原紙を製版する際の移動方向に沿って駆動力を受けるための歯が形成されたことを特徴とするスクリーン枠。
【請求項２】
張設された前記孔版原紙の面に直交する側面に前記歯が形成されたことを特徴とする請求項１記載のスクリーン枠。
【請求項３】
前記側面の上下に前記歯よりも外方に突出した一対の保護部材を設けたことを特徴とする請求項２記載のスクリーン枠。
【請求項４】
スクリーン枠の中央の開口に張設した孔版原紙を製版する製版装置において、
基体と、
前記基体に設けられて前記スクリーン枠を副走査方向に移動可能に支持する支持手段と、
前記支持手段に支持された前記スクリーン枠を副走査方向に送る駆動手段と、
前記基体に設けられて前記支持手段に支持された前記スクリーン枠の前記孔版原紙に非接触で相対しつつ主走査方向に往復動作して前記孔版原紙を製版する製版手段と、
を具備することを特徴とする製版装置。
【請求項５】
前記支持手段が、前記スクリーン枠の上面に当接する上面ガイド部材を有しており、
前記駆動手段が、前記スクリーン枠の側面に形成されたはすばラックに係合して前記スクリーン枠を副走査方向に送る際に該スクリーン枠に上向きの分力を与えるはすば歯車を有しており、
前記駆動手段によって前記スクリーン枠を副走査方向に送る際には前記上向きの分力によって前記スクリーン枠が前記上面ガイド部材に当接することにより前記孔版原紙の前記製版手段に対する上下方向の位置が設定されることを特徴とする請求項４記載の製版装置。
【請求項６】
前記支持手段が、前記スクリーン枠の下面に当接する下面ガイド部材を有しており、
前記駆動手段が、前記スクリーン枠の側面に形成されたはすばラックに係合して前記スクリーン枠を副走査方向に送る際に該スクリーン枠に下向きの分力を与えるはすば歯車を有しており、
前記駆動手段によって前記スクリーン枠を副走査方向に送る際には前記下向きの分力によって前記スクリーン枠が前記下面ガイド部材に当接することにより前記孔版原紙の前記製版手段に対する上下方向の位置が設定されることを特徴とする請求項４記載の製版装置。
【発明の詳細な説明】
【技術分野】
【０００１】
本発明は、スクリーン印刷のために孔版原紙を張設するスクリーン枠と、スクリーン枠に張設した孔版原紙を製版するために、該孔版原紙に非接触で主走査方向について移動して製版する機能と該スクリーン枠を副走査方向に送る機能を備えた製版装置に関するものである。
【背景技術】
【０００２】
下記特許文献１には、孔版原紙を所定方向に搬送し、この孔版原紙に対して非接触式の製版手段を搬送方向と直交する方向に移動させて製版動作を行ない、孔版原紙に所望の画像を製版する装置が記載されている。
【０００３】
下記特許文献２には、枠に張られた孔版原紙をサーマルヘッドとプラテンローラで挟持し、感熱穿孔しながら孔版原紙に送りをかけて枠ごと孔版原紙を移動させ、孔版原紙に所望の画像を製版する製版装置が記載されている。
【０００４】
【特許文献１】公開特許公報（特開平１０−１１９２３１）
【特許文献２】公開特許公報（特開平１０−２９１２９０）
【発明の開示】
【発明が解決しようとする課題】
【０００５】
孔版原紙に高精細な製版画像を作成して精密な孔版印刷画像を印刷するには、スクリーン枠に孔版原紙を適当な張力で張り、製版に供するのが好ましい。特許文献２は、このようにスクリーン枠に張られた孔版原紙を製版する例であるが、孔版原紙をサーマルヘッドとプラテンローラで挟持して搬送しながら製版する接触式であるため、実際には精密な製版は困難である。すなわち、枠に孔版原紙を張設すると、孔版原紙の周縁部は枠に固定された部分に近いので変形しにくいが、中央部は相対的に変形し易く、場所によって変形し易さの異なる孔版原紙をサーマルヘッドとプラテンローラで挟んで送りをかける方式では搬送が不安定になってしまうからである。さらに孔版原紙を張られたスクリーン枠の搬送動作とサーマルヘッドの加熱による穿孔動作を協働させる必要があるが、これら２つの動作を同期するように制御することは容易ではなく、この点からも精密な製版は困難である。
【０００６】
このため、スクリーン枠に張設した孔版原紙に、特許文献１に開示されているような非接触式の製版手段を使用することを本願発明者は考えたが、その場合には非接触式の製版手段と孔版原紙の間隔を一定に保ちながら、製版手段の駆動に同期して孔版原紙を安定して送るための構成が不可欠になるという解決困難な課題が生じる。
【０００７】
孔版原紙乃至スクリーン枠を駆動する上での困難を避けるため、孔版原紙を張設したスクリーン枠は搬送せずに所定の位置に設置することとし、非接触式の製版手段を主走査方向及び副走査方向の両方に移動可能とし、所定位置に静止した孔版原紙の全面を製版できるようにすることも考えられるが、その場合には、製版手段の駆動機構が複雑になり、製版装置全体としてのサイズが孔版原紙を張設したスクリーン枠の外形と同等程度になるため、設置床面積が大きくなってしまうという問題がある。
【０００８】
本発明は、スクリーン枠に張設した孔版原紙を非接触式の製版手段で精密に製版できる小型の製版装置と、係る製版装置に適したスクリーン枠を提供することを目的としている。
【課題を解決するための手段】
【０００９】
請求項１に記載されたスクリーン枠は、中央の開口に張設した孔版原紙に対して非接触式の製版手段を主走査方向に往復動作させながら駆動するとともに、副走査方向に移動させることによって前記孔版原紙に所望の画像を製版するためのスクリーン枠において、
前記孔版原紙を製版する際の移動方向に沿って駆動力を受けるための歯が形成されたことを特徴としている。
【００１０】
請求項２に記載されたスクリーン枠は、請求項１記載のスクリーン枠において、張設された前記孔版原紙の面に直交する側面に前記歯が形成されたことを特徴としている。
【００１１】
請求項３に記載されたスクリーン枠は、請求項２記載のスクリーン枠において、前記側面の上下に前記歯よりも外方に突出した一対の保護部材を設けたことを特徴としている。
【００１２】
請求項４に記載された製版装置は、
スクリーン枠の中央の開口に張設した孔版原紙を製版する製版装置において、
基体と、
前記基体に設けられて前記スクリーン枠を副走査方向に移動可能に支持する支持手段と、
前記支持手段に支持された前記スクリーン枠を副走査方向に送る駆動手段と、
前記基体に設けられて前記支持手段に支持された前記スクリーン枠の前記孔版原紙に非接触で相対しつつ主走査方向に往復動作して前記孔版原紙を製版する製版手段と、
を具備することを特徴としている。
【００１３】
請求項５に記載された製版装置は、請求項４記載の製版装置において、
前記支持手段が、前記スクリーン枠の上面に当接する上面ガイド部材を有しており、
前記駆動手段が、前記スクリーン枠の側面に形成されたはすばラックに係合して前記スクリーン枠を副走査方向に送る際に該スクリーン枠に上向きの分力を与えるはすば歯車を有しており、
前記駆動手段によって前記スクリーン枠を副走査方向に送る際には前記上向きの分力によって前記スクリーン枠が前記上面ガイド部材に当接することにより前記孔版原紙の前記製版手段に対する上下方向の位置が設定されることを特徴としている。
【００１４】
請求項６に記載された製版装置は、請求項４記載の製版装置において、
前記支持手段が、前記スクリーン枠の下面に当接する下面ガイド部材を有しており、
前記駆動手段が、前記スクリーン枠の側面に形成されたはすばラックに係合して前記スクリーン枠を副走査方向に送る際に該スクリーン枠に下向きの分力を与えるはすば歯車を有しており、
前記駆動手段によって前記スクリーン枠を副走査方向に送る際には前記下向きの分力によって前記スクリーン枠が前記下面ガイド部材に当接することにより前記孔版原紙の前記製版手段に対する上下方向の位置が設定されることを特徴としている。
【発明の効果】
【００１５】
請求項１に記載されたスクリーン枠によれば、中央の開口に張設した孔版原紙に対して非接触式の製版手段を主走査方向に往復動作させながら、製版装置からの駆動力を歯で確実に受け止めることによって副走査方向に安定して移動することができるので、スクリーン枠に張設した孔版原紙に非接触式の製版手段で所望の画像を高精度で製版することができる。
【００１６】
請求項２に記載されたスクリーン枠によれば、請求項１記載のスクリーン枠の効果に加え、孔版原紙の面に直交する側面は上面や下面に比して印刷に供した際にインクで汚れにくく、歯を清掃する手間が省ける。
【００１７】
請求項３に記載されたスクリーン枠によれば、請求項２記載のスクリーン枠の効果に加え、側面の歯が上下一対の保護部材で保護されるので、破損しにくく、汚れにくく、直接手が触れにくく危険が少ない。
【００１８】
請求項４に記載された製版装置によれば、孔版原紙を張設したスクリーン枠は支持手段で支持されて駆動手段で副走査方向に安定して移動でき、これに同期して非接触式の製版手段が孔版原紙との間隔を保持しつつ定位置で主走査方向に往復して移動するので、スクリーン枠に張設した孔版原紙に非接触式の製版手段で所望の画像を高精度で製版することができる。また、主走査方向に移動する製版手段に対して孔版原紙を張設したスクリーン枠を副走査方向に移動させる構成であるから、製版装置の副走査方向の長さは製版手段による同方向の製版幅を確保できる程度に短くて済み、設置面積が小さくなる。
【００１９】
請求項５に記載された製版装置によれば、請求項４記載の製版装置の効果に加え、
駆動手段がはすば歯車によってスクリーン枠のはすばラックを駆動すれば、スクリーン枠は上向きの分力によって前記スクリーン枠の上面に当接している上面ガイド部材に押し付けられるので、孔版原紙と製版手段の間隔が上面ガイド部材の位置によって所定の寸法に正確に設定される。
【００２０】
請求項６に記載された製版装置によれば、請求項４記載の製版装置の効果に加え、
駆動手段がはすば歯車によってスクリーン枠のはすばラックを駆動すれば、スクリーン枠は下向きの分力によって前記スクリーン枠の下面に当接している下面ガイド部材に押し付けられるので、孔版原紙と製版手段の間隔が下面ガイド部材の位置によって所定の寸法に正確に設定される。
【発明を実施するための最良の形態】
【００２１】
以下、本発明を実施するために特許出願人が出願時点で最良と思う本発明の実施の形態を説明する。
図１は、本発明の実施の形態であるスクリーン枠と製版装置の斜視図、図２は本発明の実施の形態であるスクリーン枠の断面図、図３は本発明の実施の形態であるスクリーン枠の第１変形例の斜視図、図４は前記第１変形例におけるスクリーン枠の一部破断拡大斜視図、図５は本発明の実施の形態であるスクリーン枠および製版装置の第２変形例の構造を模式的に示す斜視図、図６は前記第２変形例における作用を示す図、図７は本発明の実施形態であるスクリーン枠および製版装置の第３変形例におけるスクリーン枠の一部破断拡大斜視図、図８は前記第３変形例における作用を示す図である。
【００２２】
図１に示すように、本例の製版装置１は、中央の開口２に孔版原紙３を張設したスクリーン枠４を副走査方向に送りつつ、非接触式の製版手段を主走査方向に往復動作させて該孔版原紙３を製版する製版装置１である。
【００２３】
図１に示す本例のスクリーン枠４は、図２の断面図に示すように被印刷体５に対する印刷時に上側（スキージ操作する側）になる相対的に厚さの大きい矩形の上枠６と、印刷時に下側（被印刷体５側）になる相対的に厚さの小さい矩形の下枠７との間に孔版原紙３を挟み、下枠７の側からねじ込んだねじ等の締結手段８でこれらを一体に結合してなる枠状部材である。
【００２４】
図２に示すように、上枠６の開口２の周縁部には孔版原紙３の側 (図中被印刷体５側）に向けて突出した枠状の支持部９が設けられており、その外側には結合突起１０が設けられている。また、下枠７の開口２は上枠６の開口２よりも大きく、下枠７の開口２の周縁部には上枠６に向けられた傾斜面１１が形成されており、その外側には結合凹部１２が設けられている。従って、間に孔版原紙３を挟んで上枠６と下枠７を結合突起１０と結合凹部１２で組み合わせると、孔版原紙３は支持部９で支持されるとともに、その外側において下枠７の傾斜面１１に押さえられ、支持部９の内方の開口２において緊張して平面状に張設された状態となる。
【００２５】
図１及び図２に示すように、矩形の上枠６の一対の長辺に相当する一対の側面６ａ，６ａには、製版装置１において副走査方向に送られる際に製版装置１から駆動力を受けるための歯であるラック１３が形成されている。ラック１３が形成された前記側面６ａはこのスクリーン枠４に張設された孔版原紙３の面に対して直交しており、その側面においてラック１３の歯が並ぶ方向は前記スクリーン枠４の送り方向（副走査方向）に沿っている。
【００２６】
次に、図１に示す本例の製版装置１は、コンパクトな箱型の基体２０を有しており、その内部には前記スクリーン枠４を副走査方向に移動可能に支持する支持手段としての支持ローラ２１がスクリーン枠４の幅 (主走査方向の長さ）に対応して複数対回転自在に設けられており、基体２０の前面に設けられた挿入スリット２０ａから挿入されたスクリーン枠４を基体２０内で副走査方向について移動自在に支持することができる。
【００２７】
図１に示すように、基体２０の内部には、支持ローラ２１に支持されたスクリーン枠４を副走査方向に送る駆動手段として前記ラック１３に係合するピニオン２２と、これを駆動する駆動手段としての搬送モータ２３が設けられている。また、ピニオン２２が噛み合うラック１３とは反対側のラック１３には、回動自在に設けられた複数個の従動ギア２４が設けられてピニオン２２とは反対側のラック１３に係合してスクリーン枠４の幅方向（主走査方向）の位置を決めている。
【００２８】
図１に示すように、基体２０の内部には支持ローラ２１に支持されたスクリーン枠４の孔版原紙３に所定の間隔をおいて相対する製版手段３０が設けられている。この製版手段３０は、本願出願人が特願平７−２８４６１０号で提案した孔版原紙の製版方法を実施する装置と基本的に同構造であり、液体中に含有せしめた光熱変換材料を液体とともに液体吐出装置から孔版原紙３に吐出して転移させ、これに可視光線又は赤外線を照射して該光熱変換材料を発熱させることにより、孔版原紙３の該光熱変換材料が転移した部位のみを選択的に溶融させて所望の画像パターンを製版するものである。
【００２９】
製版手段３０は、内部構造の詳細は図示しないが、光熱変換材料を液体とともに吐出する液体吐出装置と、可視光線又は赤外線を照射する光照射装置が設けられた製版ヘッド３１を有している。図１に示すように、製版ヘッド３１は基体２０の内部に主走査方向に沿って渡設・固定された案内棒３２に摺動可能に設けられている。また基体２０の内部には、スクリーン枠４の幅方向（主走査方向）の両側の位置に、走査モータ３３で駆動される駆動プーリ３４と従動プーリ３５とがあり、これら一対のプーリ３４，３５の間には主走査方向を長手方向として駆動ベルト３６が掛け回されており、前記製版ヘッド３１がこの駆動ベルト３６の片側に連結されている。従って、走査モータ３３が駆動されれば、駆動ベルト３６が移動し、駆動ベルト３６に連結された製版ヘッド３１は案内棒３２に沿って主走査方向に往復移動することができる。
【００３０】
以上の構成における作用を説明する。
孔版原紙３を張設したスクリーン枠４を、孔版原紙３が上側となり（すなわち下枠７が上に来るように）、かつ一対のラック１３，１３が両側に来るような姿勢で、基体２０の挿入スリット２０ａから挿入する。孔版原紙３の先端側（天側）を製版ヘッド３１に相対する位置に配置し、本装置１を始動する。搬送モータ２３の駆動力がピニオン２２とラック１３を介してスクリーン枠４に伝えられ、支持ローラ２１に支持されるとともに従動ギア２４に幅方向を位置決めされたスクリーン枠４は、副走査方向に所定の速度で搬送されていく。
【００３１】
このスクリーン枠４の副走査方向への搬送に同期して走査モータ３３が製版ヘッド３１を主走査方向に移動させ、この移動に同期して製版ヘッド３１が駆動される。製版ヘッド３１から吐出された光熱変換材料を含む液体は孔版原紙３に転移し、製版ヘッド３１からの光による熱によって発熱し、孔版原紙３の全面に亘って所望の画像が穿孔されていく。
【００３２】
本例のスクリーン枠４と製版装置１によれば、スクリーン枠４は幅方向の位置を従動ギア２４とピニオン２２で規制されているので左右のぶれがなく、搬送モータ２３の駆動力をピニオン２２と枠自体に形成したラック１３で確実に受け止めて駆動されるので、副走査方向の移動が安定しており、主走査方向に移動する非接触式の製版ヘッド３１で孔版原紙３に所望の画像を高精度で製版することができる。
【００３３】
また、製版手段３０の駆動機構は製版ヘッド３１を主走査方向に移動させる機構だけであり、副走査方向の運動は、スクリーン枠４を副走査方向に移動させることによって行なうので、製版装置１自体の大きさはスクリーン枠４の面積よりも小さくなり、装置の設置面積は少なくて済む。
【００３４】
次に、本例の第１の変形例を図３及び図４を参照して説明する。
このスクリーン枠４ａは、前記実施の形態のスクリーン枠４において、前記側面の上下に前記ラック１３よりも外方に突出した保護部材である一対の保護フランジ４０，４０を設けたものである。図４に拡大して示すように、上枠６ａの側面には、ラック１３を挟んで上下に保護フランジ４０，４０が前記ラック１３より突出して設けられ、上枠６ａの一方の保護フランジ４０に対して下枠７ａが孔版原紙３を挟んで結合されることにより、孔版原紙３は上枠６ａの支持部９によって緊張して張設される。
【００３５】
ラック１３は先鋭で硬い構成部分であり、取り扱い時に作業者が素手で触れるとけがをする場合があるが、本例の構造によればラック１３は前記ラック１３よりも張り出した一対の保護フランジ４０，４０に上下から挟まれているので、スクリーン枠４ａをハンドリングする際にラック１３には直接手が触れにくく、安全性が向上した。
【００３６】
次に、本例の第２の変形例を図５及び図６を参照して説明する。
図５に示すように、本例の製版装置１ａは、スクリーン枠４を支持する支持手段として、スクリーン枠４の下面に接する前記支持ローラ２１の代わりに、スクリーン枠４の上面に当接する上面ガイド部材としての上面ガイドローラ４１を有している。上面ガイドローラ４１は、後述するようにスクリーン枠４を製版ヘッド３１に対して位置決めするための部材なので、副走査方向について製版ヘッド３１に近接した位置において、枠の両側に当接するように対で設けることが好ましい。そして、スクリーン枠４の側面には駆動力を受ける歯としてはすばラック４２が形成され、搬送モータ２３に駆動される歯車ははすばラック４２に係合するはすば歯車４３とされている。
【００３７】
以上の構成において搬送モータ２３がはすば歯車４３を回動すれば、図６（ｂ）に示すように、その推力Ｆは、はすばラック４２とはすば歯車４３の歯の角度に応じて歯面に直角に掛かる力Ｆｔとスクリーン枠４を垂直に押し上げる力Ｆｎに分解され、これによってスクリーン枠４は図６（ａ）に示すように垂直上方Ｂに押し上げられて上面ガイドローラ４１に当接し、この状態で水平方向である副走査方向Ａに移動する。従って、スクリーン枠４の上下方向の位置は上面ガイドローラ４１によって位置決めされ、スクリーン枠４及びこれに張設された孔版原紙３と製版ヘッド３１との間隔Ｄは、上面ガイドローラ４１に規制されて予め定められた所定の寸法に正確に設定される。
【００３８】
従って、本例によれば、製版ヘッド３１の液を吐出するインクジェット等のノズルと孔版原紙３の間隔が一定になり、製版される画像の画質が安定する。
【００３９】
次に、本例の第３の変形例を図７及び図８を参照して説明する。
図８に示すように、本例の製版装置１ｂは、スクリーン枠４ｂを支持する支持手段として、スクリーン枠４の一対の側面の各下面に搬送方向（副走査方向）に沿って形成された一対の案内溝４５，４５と、この案内溝４５に係合して回動する複数対の下面ガイド部材としての下面ガイドローラ４６とを有している。また、第２の変形例とは異なり、図８に示すように、スクリーン枠４ｂの側面に形成されたはすばラック４７の角度は、搬送モータ２３に駆動されたはすば歯車４８から駆動力を受けると、スクリーン枠４ｂを垂直下方−Ｂに押し下げて案内溝４５と下面ガイドローラ４６が確実に係合し、この状態で水平方向である副走査方向Ａに移動するように設定されている。
【００４０】
従って、スクリーン枠４ｂの上下方向の位置は案内溝４５内に係合した下面ガイドローラ４６によって決められ、スクリーン枠４ｂ及びこれに張設された孔版原紙３と製版ヘッド３１との間隔Ｄは、案内溝４５と下面ガイドローラ４６に規制されて予め定められた所定の寸法に正確に設定される。
【００４１】
本例によっても、製版ヘッド３１の液を吐出するインクジェット等のノズルと孔版原紙３の間隔が一定になり、製版される画像の画質が安定する効果が得られる。
【図面の簡単な説明】
【００４２】
【図１】図１は、本発明の実施の形態であるスクリーン枠と製版装置の斜視図である。
【図２】図２は本発明の実施の形態であるスクリーン枠の断面図である。
【図３】図３は本発明の実施の形態であるスクリーン枠の第１変形例の斜視図である。
【図４】図４は前記第１変形例におけるスクリーン枠の一部破断拡大斜視図である。
【図５】図５は本発明の実施の形態であるスクリーン枠および製版装置の第２変形例の構造を模式的に示す斜視図である。
【図６】図６は前記第２変形例における作用を示す図である。
【図７】図７は本発明の実施形態であるスクリーン枠および製版装置の第３変形例におけるスクリーン枠の一部破断拡大斜視図である。
【図８】図８は前記第３変形例における作用を示す図である。
【符号の説明】
【００４３】
１，１ａ，１ｂ…製版装置
２…スクリーン枠の開口
３…孔版原紙
４，４ａ，４ｂ…スクリーン枠
５…被印刷体
６…上枠
６ａ…上枠の側面
７…下枠
１３…歯としてのラック
２０…基体
２１…スクリーン枠の支持手段としての支持ローラ
２２…ピニオン
２３…駆動手段としての搬送モータ
３０…製版手段
３１…製版ヘッド
４０…保護部材としての保護フランジ
４１…上面ガイド部材としての上面ガイドローラ
４２，４７…歯としてのはすばラック
４３，４８…はすば歯車
４５…案内溝
４６…下面ガイド部材としての下面ガイドローラ
【図１】
2005153402.tif 000003
【図２】
2005153402.tif 000004
【図３】
2005153402.tif 000005
【図４】
2005153402.tif 000006
【図５】
2005153402.tif 000007
【図６】
2005153402.tif 000008
【図７】
2005153402.tif 000009
【図８】
2005153402.tif 000010